【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】データ通信装置、データ処理方法及び記憶媒体
【手続補正２】
【補正対象書類名】明細書
【補正対象項目名】特許請求の範囲
【補正方法】変更
【補正の内容】
【特許請求の範囲】
【請求項１】
所定のデータ管理端末と接続手段を介して接続され、他の装置と通信を行うデータ通信装置において、
オペレータによるマニュアル指示を入力する操作手段と、
前記操作手段で入力された指示に基づきデータを送信する送信手段と、
前記操作手段で入力された指示に基づく前記送信手段による送信の実行に応じて前記接続手段を介してデータ管理端末に当該送信に関する情報を通知する通知手段とを有することを特徴とするデータ通信装置。
【請求項２】
前記通知手段で通知する情報には、送信宛先、送信時刻、送信ページ数のいずれかが少なくとも含まれることを特徴とする請求項１に記載のデータ通信装置。
【請求項３】
前記通知手段は通知すべき情報の変化に応じて通知を行うことを特徴とする請求項１または２に記載のデータ通信装置。
【請求項４】
前記通知手段は前記送信手段によるデータの送信が完了した後に当該送信に関する情報を通知することを特徴とする請求項１乃至３のいずれかに記載のデータ通信装置。
【請求項５】
前記通知手段はさらに前記送信手段で送信したデータの内容を通知することを特徴とする請求項１乃至４のいずれかに記載のデータ通信装置。
【請求項６】
所定のデータ管理端末と接続する接続手段と、
オペレータによるマニュアル指示を入力する操作手段と、
前記操作手段の操作によりユーザを特定するＩＤを指定する指定手段と、
画像データを入力する入力手段と、
前記操作手段で入力された指示に基づき前記入力手段で入力した画像データの処理を行う処理手段と、
前記処理手段による処理の実行に応じて当該処理の内容を示す情報及び前記指定手段で指定されたＩＤに対応するユーザを示す情報を、前記接続手段を介してデータ管理端末に通知する通知手段とを有することを特徴とするデータ通信装置。
【請求項７】
前記処理手段は前記操作手段により前記入力手段で入力した画像データを、前記操作手段により指定された送信先に送信する処理であり、前記通知手段で通知する情報には、送信宛先、送信時刻、送信ページ数のいずれかが少なくとも含まれることを特徴とする請求項６に記載のデータ通信装置。
【請求項８】
前記通知手段はさらに前記処理手段で処理した画像データを通知することを特徴とする請求項６または７に記載のデータ通信装置。
【請求項９】
さらに、原稿上の画像を読み取り該画像に応じた画像データを発生する読取手段を有し、
前記入力手段は前記操作手段による前記処理手段の処理の実行の指示の入力に応じて前記読取手段により原稿上の画像を読み取り発生した画像データを入力することを特徴とする請求項６乃至８のいずれかに記載のデータ通信装置。
【請求項１０】
所定のデータ管理端末と、該データ管理端末と接続され、他の通信装置と通信を行うデータ通信装置とを有するデータ処理システムにおけるデータ処理方法において、
前記データ通信装置が、
自身が有する操作パネルからの操作に基づきデータを送信し、
この送信の実行に応じて当該送信の内容に関する情報を前記データ管理端末に通知し、
前記データ管理端末が、
前記データ通信装置から受け取った送信に関する情報の管理を行うことを特徴とするデータ処理方法。
【請求項１１】
前記データ管理端末は前記データ通信装置に対しデータの送信指示が可能であり、当該送信指示に基づく送信の内容に関する情報と、前記データ通信装置が前記操作パネルからの操作に基づき行った送信の内容に関する情報とをそれぞれ区別して管理することを特徴とする請求項１０に記載のデータ処理方法。
【請求項１２】
前記データ管理端末は前記データ通信装置から受け取った送信に関する情報を、前記データ通信装置から受け取るユーザを特定する情報に基づきユーザ毎に管理することを特徴とする請求項１０または１１に記載のデータ処理方法。
【請求項１３】
前記データ管理端末が前記データ通信装置から受け取る送信の内容に関する情報は、送信宛先、送信時刻、送信ページのいずれかが少なくとも含まれることを特徴とする請求項１０乃至１２のいずれかに記載のデータ処理方法。
【請求項１４】
前記データ管理端末が前記データ通信装置から受け取る送信の内容に関する情報は、前記データ通信装置が送信したデータを含むことを特徴とする請求項１０乃至１３のいずれかに記載のデータ処理方法。
【請求項１５】
前記データ通信装置は、データの送信に際し、前記操作パネルによりユーザを特定するＩＤが入力された場合、前記送信の内容に関する情報とともにユーザを特定する情報を通知し、
前記データ管理端末は前記送信の内容に関する情報とユーザを特定する情報とを対応付けて管理することを特徴とする請求項１０乃至１４のいずれかに記載のデータ処理方法。
【請求項１６】
前記データ管理端末はネットワークを介して複数のクライアント端末と接続可能であり、前記データ通信装置から前記送信の内容に関する情報をユーザを特定する情報とともに受け取った場合、該送信の内容に関する情報を該ユーザを特定する情報に対応したクライアント端末に転送することを特徴とする請求項１５に記載のデータ処理方法。
【請求項１７】
所定のデータ管理端末と、該データ管理端末に接続され、互いに通信可能なデータ通信装置とを有するデータ処理システムにおけるデータ処理方法において、
前記データ通信装置が、
自身が有する操作パネルからの操作によりユーザを特定するとともに画像データの処理を実行し、
この画像データの処理の実行に応じて当該処理の内容及びユーザを特定する情報を前記データ管理端末に通知し、
前記データ管理端末が、
前記データ通信装置から受け取った処理の内容及びユーザを特定する情報の管理を行うことを特徴とするデータ処理方法。
【請求項１８】
前記データ管理端末は前記データ通信装置に対し画像データの処理の実行指示が可能であり、当該実行指示に基づく処理の内容に関する情報と、前記データ通信装置が前記操作パネルからの操作に基づき行った処理の内容に関する情報とをそれぞれ区別して管理することを特徴とする請求項１７に記載のデータ処理方法。
【請求項１９】
前記データ管理端末はネットワークを介して複数のクライアント端末と接続可能であり、前記データ通信装置から前記処理の内容に関する情報をユーザを特定する情報とともに受け取った場合、該処理の内容に関する情報を該ユーザを特定する情報に対応したクライアント端末に転送することを特徴とする請求項１７または１８に記載のデータ処理方法。
【請求項２０】
前記処理は前記操作パネルにより画像データを、前記操作パネルにより指定された送信先に送信する処理であり、前記データ管理端末が前記データ通信装置から受け取る情報は、送信宛先、送信時刻、送信ページのいずれかが少なくとも含まれることを特徴とする請求項１７乃至１９のいずれかに記載のデータ処理方法。
【請求項２１】
前記データ管理端末が前記データ通信装置から受け取る処理の内容に関する情報は、前記データ通信装置が処理した画像データを含むことを特徴とする請求項１７乃至２０のいずれかに記載のデータ処理方法。
【請求項２２】
所定のデータ管理端末に接続されたデータ通信装置を制御するためのコンピュータ可読プログラムを格納した記憶媒体において、
前記プログラムが、
オペレータによるマニュアル指示に基づく送信指示を入力する工程と、
入力された送信指示に基づきデータを送信させる工程と、
前記送信指示に基づく送信の実行に応じて当該送信に関する情報を前記データ管理端末へ通知させる工程とを有することを特徴とする記憶媒体。
【請求項２３】
所定のデータ管理端末に接続されたデータ通信装置を制御するためのコンピュータ可読プログラムを格納した記憶媒体において、
前記プログラムが、
オペレータによるマニュアル指示に基づく画像データの処理の実行指示を入力する工程と、
ユーザを特定するＩＤを入力する工程と、
前記処理の実行指示に基づき画像データを処理させる工程と、
前記処理の実行指示に基づく処理の実行に応じて当該処理の内容を示す情報及び前記指定されたＩＤに対応するユーザを示す情報を、前記データ管理端末に通知させる工程とを有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、所定のデータ管理端末と接続可能なデータ通信装置、該データ管理端末とデータ通信装置とを有するデータ処理システムにおけるデータ処理方法及びデータ通信を制御するためのプログラムを格納した記憶媒体に関するものである。
【手続補正４】
【補正対象書類名】明細書
【補正対象項目名】０００５
【補正方法】変更
【補正の内容】
【０００５】
本発明は上述の問題点に鑑みてなされたものであり、データ通信装置のローカルオペレーションによる処理に関する情報を容易にデータ管理端末側で管理させることのできるデータ通信装置、データ処理方法及びプログラムを格納した記憶媒体を提供することを目的とする。
【手続補正５】
【補正対象書類名】明細書
【補正対象項目名】０００７
【補正方法】変更
【補正の内容】
【０００７】
即ち、所定のデータ管理端末と接続手段を介して接続され、他の装置と通信を行うデータ通信装置であって、オペレータによるマニュアル指示を入力する操作手段と、前記操作手段で入力された指示に基づきデータを送信する送信手段と、前記操作手段で入力された指示に基づく前記送信手段による送信の実行に応じて前記接続手段を介してデータ管理端末に当該送信に関する情報を通知する通知手段とを有する。
【手続補正６】
【補正対象書類名】明細書
【補正対象項目名】０００８
【補正方法】変更
【補正の内容】
【０００８】
また、所定のデータ管理端末と接続する接続手段と、オペレータによるマニュアル指示を入力する操作手段と、前記操作手段の操作によりユーザを特定するＩＤを指定する指定手段と、画像データを入力する入力手段と、前記操作手段で入力された指示に基づき前記入力手段で入力した画像データの処理を行う処理手段と、前記処理手段による処理の実行に応じて当該処理の内容を示す情報及び前記指定手段で指定されたＩＤに対応するユーザを示す情報を、前記接続手段を介してデータ管理端末に通知する通知手段とを有する。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００８３
【補正方法】変更
【補正の内容】
【００８３】
【発明の効果】
以上説明した様に本発明によれば、データ通信装置のローカルオペレーションによるデータの処理の内容に関する情報を容易に所定のデータ管理端末側で一括して管理させることが可能となる。